(57)【要約】【課題】発煙を室内に放出することがなく、グリルドアが高温になることもなく、安全でお手入れ性、使い勝手がよく快適に調理をおこなうことができる加熱調理器を提供すること。【解決手段】被調理物２を載置するグリル皿３と調理物を覆うようにグリル皿３の外周縁４に沿って載置されるグリル蓋５と、グリル皿３を下方から加熱する下面加熱手段６と、グリル蓋５を上方から加熱する上面加熱手段７とをグリル庫内に配設して加熱するように構成することにより、飛散した飛沫や油煙がグリル庫内１から閉鎖されたグリル室８内で留まり、グリル庫内１を汚したり、焼き付いたりすることなく、また、グリルドア９自体の温度上昇を低減することができ、把手１１近傍を不用意に触ってもやけどをすることがなく、安全でお手入れ性、使い勝手がよく快適に調理をおこなうことができる。【選択図】図１
2011098139.tif 000002
【特許請求の範囲】
【請求項１】
被調理物を載置するグリル皿と前記被調理物を覆うように前記グリル皿の外周縁部に沿って載置されたグリル蓋と、前記グリル皿を下方から間隔を置いて加熱する下面加熱手段と、前記グリル蓋を上方から間隔を置いて加熱する上方加熱手段とをグリル庫内に配設し、前記グリル庫内の前面開口をグリルドアで開閉自在に覆い、前記グリルドアに連結したアームに前記グリル皿を載置して前記グリル蓋と共に摺動し前記グリル庫内から外に引き出すよう構成された加熱調理器。
【請求項２】
グリル蓋はグリル庫内後方上部に配設された除煙手段に対向する範囲に複数個の孔を配設した請求項１に記載の加熱調理器。
【請求項３】
グリル蓋手前上部に傾斜を設け、のぞき窓を配設した請求項１に記載の加熱調理器。
【請求項４】
のぞき窓は透明な結晶化ガラスで構成された請求項３に記載の加熱調理器。
【請求項５】
グリルドアは金属製の内板と外板で構成され、前記内板と外板の間に５〜１０ｍｍの空間を設けて前記外板を覆うように樹脂製の飾り板を配設した請求項１に記載の加熱調理器。
【請求項６】
グリル庫内底面と下面加熱手段の間にグリル皿の底面に対向するように反射板を配設した請求項１に記載の加熱調理器。
【請求項７】
グリル蓋は熱吸収、熱伝導に優れた金属に黒ホーロー処理された請求項１に記載の加熱調理器。
【請求項８】
グリル皿は凸部、凹部の波型形状で構成され、前記凸部、凹部の段差が６ｍｍ以上になるように凹部を樋状に連結して傾斜させ、前記グリル皿の手前略中央に配設された油溜め溝を最下降部として配設した請求項１に記載の加熱調理器。
【請求項９】
グリル皿とグリル蓋の代わりに受け皿と焼網を併用する構成とした請求項１に記載の加熱調理器。
【発明の詳細な説明】
【技術分野】
【０００１】
本発明は、一般家庭で魚、肉等の調理物を加熱調理する加熱調理器の構成に関するものである。
【背景技術】
【０００２】
従来、この種の加熱調理器は、調理物を載置する焼き網と調理物の上面を加熱するヒーターと調理物の下面を加熱するヒーターを有し、調理物は上下面両方から加熱されることで、調理の途中で調理物をひっくり返すことなく、両面を焼き上げることができるものが商品化されている。また、調理物の上下両面をバランス良く十分加熱し得る加熱調理器も提案されている（例えば、特許文献１参照）。
【０００３】
図９は、特許文献１に記載された従来の両面焼きロースターの要部断面図を示すものである。図９に示すように、加熱調理器９０は、調理物９１を収納して加熱調理を行う調理庫９２と、調理庫９２の上部に配置される上部加熱手段９３と、調理庫９２の下部に配置される下部加熱手段９４と、調理を行う際に、調理庫９２内に配置されるトレー９５を備え、トレー９５の一部には切欠き部９６を有し、トレー９５を調理庫９２内にセットした際に、切欠き部９６より下部加熱手段９４がトレー９５内に配置されるように構成しているものもある。
【先行技術文献】
【特許文献】
【０００４】
【特許文献１】特開２００３−８８４７３号公報
【発明の概要】
【発明が解決しようとする課題】
【０００５】
しかしながら、従来の市販の加熱調理器や、特許文献１の構成では、下部加熱手段９４に調理中の食物油などが滴下して発火する可能性や、加熱中の調理物からの飛散した飛沫・油煙などが調理庫９２の壁面に付着して焼き付き、上部加熱手段９３や下部加熱手段９４がじゃまになりお手入れしにくくかつ汚れが取れにくいという課題を有していた。
【０００６】
また、両面加熱調理による調理物からの発煙量が激しく多いため、室内の換気扇を含めた汚れを誘発しやすいという課題を有していた。さらに両面加熱により、両面焼きロースター９０前方のドアは高温にさらされ、調理物を取り出す持ち手の近傍は高温になり不用意に触れるとやけどの恐れがあるという課題を有していた。
【０００７】
本発明は、前記従来の課題を解決するもので、安全でお手入れ性、使い勝手がよく快適な調理を実現する加熱調理器を提供することを目的とする。
【課題を解決するための手段】
【０００８】
前記従来の課題を解決するために、本発明の加熱調理期は、調理物を載置するグリル皿と調理物を覆うようにグリル皿に載置されたグリル蓋と、グリル皿を下から加熱する下面加熱手段と、グリル蓋を上面から加熱する上面加熱手段とをグリル庫内に配設して加熱するように構成したものである。
【０００９】
これによって、調理物を載置するグリル皿と調理物を覆うようにグリル皿に載置されたグリル蓋と、グリル皿を下から加熱する下面加熱手段と、グリル蓋を上面から加熱する上面加熱手段をグリル庫内に配設して加熱することで、飛散した飛沫・油煙などは閉鎖され
たグリル皿とグリル蓋の中に留めるため、グリル庫内が汚れたり焼き付くことがなく、また激しい発煙を室内に放出することもない。さらに、被加熱物をグリル皿とグリル蓋で囲うことでドアに与える熱影響も少なく、ドアが高温になることもない。
【発明の効果】
【００１０】
本発明の加熱調理器は、調理物を載置するグリル皿と調理物を覆うようにグリル皿に載置されたグリル蓋と、グリル皿を下から加熱する下面加熱手段とグリル蓋を上面から加熱する上面加熱手段をグリル庫内に配設して加熱することで、飛散した飛沫・油煙などは閉鎖されたグリル皿とグリル蓋の中に留めるため、グリル庫内が汚れたり焼き付くことがなく、また激しい発煙を室内に放出することもない。さらに、被加熱物をグリル皿とグリル蓋で囲うことでドアに与える熱影響も少なく、ドアが高温になることもなく、安全でお手入れ性、使い勝手がよく快適な調理を実現することができる。
【図面の簡単な説明】
【００１１】
【図１】本発明の実施の形態１および実施の形態７における加熱調理器の要部断面図
【図２】本発明の実施の形態２における加熱調理器の要部断面図
【図３】本発明の実施の形態３における加熱調理器の要部断面図
【図４】本発明の実施の形態４における加熱調理器の要部断面図
【図５】本発明の実施の形態５における加熱調理器の要部断面図
【図６】本発明の実施の形態６における加熱調理器の要部断面図
【図７】本発明の実施の形態８における加熱調理器の要部縦断面図
【図８】本発明の実施の形態９における加熱調理器の要部断面図
【図９】従来の両面焼きロースターの要部断面図
【発明を実施するための形態】
【００１２】
第１の発明は、被調理物を載置するグリル皿と前記被調理物を覆うように前記グリル皿の外周縁部に沿って載置されたグリル蓋と、前記グリル皿を下方から間隔を置いて加熱する下面加熱手段と、前記グリル蓋を上方から間隔を置いて加熱する上方加熱手段とをグリル庫内に配設し、前記グリル庫内の前面開口をグリルドアで開閉自在に覆い、前記グリルドアに連結したアームに前記グリル皿を載置して前記グリル蓋と共に摺動し前記グリル庫内から外に引き出すよう構成することにより、被調理物が加熱されて飛散した飛沫・油煙などは閉鎖されたグリル皿とグリル蓋の中に留めるため、グリル庫内が汚れたり焼き付いたりすることがなく、引き出されたグリル皿とグリル蓋を丸洗いするだけで簡単に清掃ができ、お手入れ性を向上することができる。また、飛沫・油煙などは閉鎖された２００℃前後のグリル皿とグリル蓋の雰囲気の中に留め、直に５００℃前後の上面加熱手段や下面加熱手段にさらされないため、発煙量が激減し室内への放出量も低減することができる。さらに、上面加熱手段と下面加熱手段が直接輻射熱によりグリルドアを加熱することはなく、もっぱらグリル皿およびグリル蓋を加熱するため、グリルドア自体の温度上昇を低減することができる。
【００１３】
第２の発明は、特に、第１の発明のグリル蓋は、グリル庫内後方上部に配設された除煙手段に対向する範囲に複数個の孔を配設することにより、グリル皿とグリル蓋の閉鎖空間に留めた油煙を上昇気流で効率的に除煙手段に導き、クリーンな空気に近づける除煙効率を向上することができる。
【００１４】
第３の発明は、特に、第１の発明のグリル蓋手前上部に傾斜を設け、のぞき窓を配設することにより、グリルドアに連結したアームにグリル皿を載置してグリル蓋と共に摺動しグリル庫内から外に引き出した時に、グリル蓋を外さなくても容易に被調理物のできばえを確認することができる。
【００１５】
第４の発明は、特に、第３の発明ののぞき窓を透明な結晶化ガラスで構成することにより、グリル皿とグリル蓋で閉鎖された空間から飛沫・油煙を少しでもグリル庫内に放出することがなく、グリル庫内の汚れや焼き付きを防止し、お手入れ性を向上することができる。
【００１６】
第５の発明は、特に、第１の発明のグリルドアは金属製の内板と外板で構成され、前記内板と外板の間に５〜１０ｍｍの空間を設けて前記外板を覆うように樹脂製の飾り板を配設することにより、加熱されたグリル皿及びグリル蓋からの熱伝導を遮蔽し、飾り板の温度上昇を低減することができる。
【００１７】
第６の発明は、特に、第１の発明のグリル庫内底面と下面加熱手段の間にグリル皿の底面に対向するように反射板を配設することにより、下面加熱手段によりグリル皿を効率的に加熱することができ、被調理物のできばえを向上することができる。また、反射板は下面加熱手段によるグリル庫内底面の温度上昇を遮熱することができる。
【００１８】
第７の発明は、特に、第１の発明のグリル蓋は熱吸収、熱伝導に優れた金属に黒ホーロー処理することにより、上面加熱手段からグリル蓋へ効率的な加熱がなされ、被調理物のできばえを向上することができる。
【００１９】
第８の発明は、特に、第１の発明のグリル皿は凸部、凹部の波型形状で構成され、前記凸部、凹部の段差が６ｍｍ以上になるように凹部を樋状に連結して傾斜させ、前記グリル皿の手前略中央に配設された油溜め溝を最下降部として配設することにより、グリル皿凸部に載置された被調理物が加熱調理中に出す食物油が凹部に堆積することなく油溜め溝に集まるため、被調理物の下面が油焼けにならずこんがりとヘルシーに調理することができる。
【００２０】
第９の発明は、特に、第１の発明のグリル皿とグリル蓋の代わりに受け皿と焼網を併用する構成とすることにより、被調理物の下面をグリル皿で直接加熱する場合と下面加熱手段により間接加熱する場合とで使用者の味の好みに合わせた仕様が選択できる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における加熱調理器の要部断面図を示すものである。
【００２３】
図１において、板金またはステンレスで覆われたグリル庫内１の中に被調理物２を載置するグリル皿３と、グリル皿３の外周縁４に沿って載置されるグリル蓋５と、グリル皿３を下方から間隔を置いて加熱するシーズヒーターで構成された下面加熱手段６と、グリル蓋５を上方から間隔を置いて加熱するシーズヒーターで構成された上面加熱手段７とを収納して構成している。
【００２４】
ここで、グリル皿３とグリル蓋５により被調理物２は、グリル庫内１から閉鎖されたグリル室８を形成し、グリルドア９に連結したアーム１０にグリル皿３が載置されている。
【００２５】
なお、グリルドア９には把手１１が取り付けられ、グリル庫内１の上方には発生した煙を機体外へ放出するための排気筒１２を構成している。また本実施の形態は、電源を供給した電気式の加熱調理器である。
【００２６】
以上のように構成された加熱調理器について、以下その動作、作用を説明する。
【００２７】
まず、電気が下面加熱手段６および上面加熱手段７に供給され、下面加熱手段６によりグリル皿３が加熱され、上面加熱手段７によりグリル蓋が加熱され、被調理物２を加熱調理する。
【００２８】
この時、被調理物２から飛散した飛沫や油煙は、グリル庫内１から閉鎖されたグリル室８内で留まり、グリル庫内１を汚したり、焼き付いたりすることなく耐用年数を重ねてもきれいなままの状態を維持するよう作用する。
【００２９】
また、調理完了後は、グリルドア９の把手１１により、アーム１０に載置されたグリル皿３とグリル蓋５と被調理物２を摺動させて引き出すことで、グリル蓋５を外せば被調理物２が取り出せ、その後汚れたグリル皿３とグリル蓋５を丸洗いすることで簡単に汚れを洗浄できるよう作用する。
【００３０】
また、飛沫・油煙などは、閉鎖された２００℃前後のグリル室８の雰囲気の中に留め、直に５００℃前後の上面加熱手段７や下面加熱手段６にさらされないため、発煙量が激減し排気筒１２から室内への放出量も低減するよう作用する。
【００３１】
さらに、上面加熱手段７と下面加熱手段６が直接輻射熱によりグリルドア９を加熱することはなく、もっぱらグリル皿３およびグリル蓋５を加熱するため、グリルドア９自体の温度上昇を低減することができ、把手１１近傍を不用意に触ってもやけどをすることがないよう作用する。
【００３２】
以上のように、本実施の形態においては、被調理物を載置するグリル皿と被調理物を覆うようにグリル皿の外周縁部に沿って載置されたグリル蓋と、グリル皿を下方から間隔を置いて加熱する下面加熱手段と、グリル蓋を上方から間隔を置いて加熱する上方加熱手段とをグリル庫内に配設し、グリル庫内の開口をグリルドアで開閉自在に覆い、グリルドアに連結したアームにグリル皿を載置してグリル蓋と共に摺動し、グリル庫内から外に引き出すよう構成することにより、被調理物が加熱されて飛散した飛沫・油煙などはグリル庫内が汚れたり焼き付いたりすることがなく、グリル皿とグリル蓋を丸洗いするだけで簡単に清掃ができ、お手入れ性を向上することができ、また、飛沫・油煙などは閉鎖された２００℃前後のグリル皿とグリル蓋の雰囲気の中に留め、発煙量が激減し、室内への放出量も低減することができる。さらに上面加熱手段と下面加熱手段が直接輻射熱によりグリルドアを加熱することはなく、グリルドア自体の温度上昇を低減することができ、安全でお手入れ性、使い勝手がよく快適に調理をおこなえるようにすることができる。
【００３３】
なお、本実施の形態では加熱調理器を電気式としたが、例えばガス式であっても同様の効果を得られることは言うまでもない。また、グリル皿３は例えばアルミなどの熱伝導のよい金属を使用し、被調理物２が焼付きにくくかつ汚れが取れやすいようにフッ素加工を施している。
【００３４】
（実施の形態２）
図２は、本発明の第２の実施の形態における加熱調理器の要部断面図である。なお、本実施の形態２の基本構成は実施の形態１と同様であるので、その同様な部分の説明は省略し、相違点を中心に説明する。また、実施の形態１と同じ機能には同じ符号を付してその説明を省略する。
【００３５】
図２において、本実施の形態の特徴は、実施の形態１の排気筒１２のグリル庫内１との連結入り口に触媒による除煙手段２０を配設し、グリル蓋は除煙手段２０に対向する直下
に複数個のφ５ｍｍ程度のグリル蓋孔２１を配設する構成としている点である。
【００３６】
以上のように構成された加熱調理器について、以下その動作、作用を説明する。
【００３７】
グリル庫内１から閉鎖されたグリル室８の油煙量は、従来に比べ２５〜５０％に減少するが、グリル皿３とグリル蓋５の隙間から漏れてグリル庫内に放出されるのを軽減し、グリル蓋孔２１から誘導して温度上昇による上昇気流で直上の除煙手段２０を通過してさらにクリーンな空気として効率よく排気筒１２から機体外へ放出するよう作用する。
【００３８】
以上のように、本実施の形態においては、排気筒のグリル庫との連結入り口に触媒による除煙手段を配設し、グリル蓋は除煙手段に対向して複数個の孔を配設することにより、グリル皿とグリル蓋の閉鎖空間に留めた油煙を上昇気流で効率的に除煙手段に導き、クリーンな空気に近づける除煙効率を向上することができる。
【００３９】
（実施の形態３）
図３は、本発明の第３の実施の形態における加熱調理器の要部断面図である。なお、本実施の形態３の基本構成は実施の形態１と同様であるので、その同様な部分の説明は省略し、相違点を中心に説明する。また実施の形態１と同じ機能には同じ符号を付してその説明を省略する。
【００４０】
図３において、本実施の形態の特徴は、実施の形態１のグリル蓋５の前方上部に傾斜を設けグリル室８内の被調理物２が見えるようにのぞき窓３０を開口して構成している点である。
【００４１】
以上のように構成された加熱調理器について、以下その動作、作用を説明する。
【００４２】
のぞき窓３０を配設することにより、グリルドア９に連結したアーム１０にグリル皿３を載置してグリル蓋５と共に摺動しグリル庫内１から外に引き出した時に、グリル蓋５を外さなくても容易に被調理物２のできばえを確認できるよう作用する。
【００４３】
以上のように、本実施の形態においては、グリル蓋手前上部に傾斜を設け、のぞき窓を配設することにより、グリルドアに連結したアームにグリル皿を載置してグリル蓋と共に摺動しグリル庫内から外に引き出した時に、グリル蓋を外さなくても容易に被調理物のできばえを確認することができる。
【００４４】
（実施の形態４）
図４は、本発明の第４の実施の形態における加熱調理器の要部断面図である。なお、本実施の形態４の基本構成は実施の形態３と同様であるので、その同様な部分の説明は省略し、相違点を中心に説明する。また実施の形態１と同じ機能には同じ符号を付してその説明を省略する。
【００４５】
図４において、本実施の形態の特徴は実施の形態３の開口したのぞき窓４０を透明な結晶化ガラスで構成している点である。
【００４６】
以上のように構成された加熱調理器について、以下その動作、作用を説明する。
【００４７】
のぞき窓４０を透明な結晶化ガラスで構成することにより、グリル皿３とグリル蓋５で閉鎖されたグリル室８から飛沫・油煙を少しでもグリル庫内１に放出するのを防ぎ、グリル庫内の汚れや焼き付きを防止し、お手入れ性を向上するように作用する。また耐熱性、熱衝撃に強い透明な結晶化ガラスを使用することで、使用時の信頼性を向上するように作
用する。
【００４８】
以上のように、本実施の形態においては、のぞき窓を透明な結晶化ガラスで構成することにより、グリル皿とグリル蓋で閉鎖された空間から飛沫・油煙を少しでもグリル庫内に放出することがなく、グリル庫内の汚れや焼き付きを防止し、お手入れ性を向上することができる。
【００４９】
（実施の形態５）
図５は本発明の第５の実施の形態における加熱調理器の要部断面図である。なお、本実施の形態５の基本構成は実施の形態１と同様であるので、その同様な部分の説明は省略し、相違点を中心に説明する。また実施の形態１と同じ機能には同じ符号を付してその説明を省略する。
【００５０】
図５において、本実施の形態の特徴は、実施の形態１のグリルドア９においてステンレス製の内板５０と板金製の外板５１をビス５２で締結し、１０ｍｍ程度の空気層５３を設けて外板５１につめ嵌合で樹脂製の飾り板５４を取り付ける構成としている点である。なお、把手１１は飾り板５４と一体である。
【００５１】
以上のように構成された加熱調理器について、以下その動作、作用を説明する。
【００５２】
上面加熱手段７と下面加熱手段６が直接輻射熱によりグリルドア９を加熱することはなく、加熱されたグリル皿３及びグリル蓋５からの熱伝導を遮蔽し、飾り板５４の温度上昇を６０℃未満に低減することができ、把手１１近傍を不用意に触ってもやけどをすることがないよう作用する。
【００５３】
以上のように、本実施の形態においては、グリルドアはステンレス製の内板と板金製の外板で構成し、内板と外板の間に５〜１０ｍｍの空間を設けて外板に樹脂製の飾り板を取り付けることにより、加熱されたグリル皿及びグリル蓋からの熱伝導を遮蔽し、飾り板の温度上昇を低減することができる。
【００５４】
（実施の形態６）
図６は、本発明の第６の実施の形態における加熱調理器の要部断面図である。なお、本実施の形態６の基本構成は実施の形態１と同様であるので、その同様な部分の説明は省略し、相違点を中心に説明する。また実施の形態１と同じ機能には同じ符号を付してその説明を省略する。
【００５５】
図６において、本実施の形態の特徴は、実施の形態１のグリル庫内１の底面と下面加熱手段６の間にグリル皿３の底面に対向するように反射板６０を配設する構成としている点である。
【００５６】
以上のように構成された加熱調理器について、以下その動作、作用を説明する。
グリル庫内の底面と下面加熱手段６の間にグリル皿３の底面に対向するように反射板６０を配設することで下面加熱手段６によりグリル皿３を効率的に加熱することができ、被調理物２のできばえを向上するよう作用する。また、反射板６０は下面加熱手段６によるグリル庫内１の底面の温度上昇を遮熱し、加熱調理器本体の異常温度上昇を低減するように作用する。
【００５７】
以上のように、本実施の形態においては、グリル庫内の底面と下面加熱手段の間にグリル皿の底面に対向するように反射板を配設することにより、下面加熱手段によりグリル皿を効率的に加熱することができ、被調理物のできばえを向上することができる。また、反
射板は下面加熱手段によるグリル庫内底面の温度上昇を遮熱することができる。
【００５８】
（実施の形態７）
図１は、本発明の第７の実施の形態における加熱調理器の要部断面図である。
【００５９】
図１において、本実施の形態の特徴は、実施の形態１のグリル蓋５は熱吸収、熱伝導に優れたアルミなどの金属に黒ホーロー処理して構成している点である。
【００６０】
以上のように構成された加熱調理器について、以下その動作、作用を説明する。
グリル蓋５は熱吸収、熱伝導に優れたアルミなどの金属に黒ホーロー処理を施していることで、上面加熱手段７からグリル蓋５へ効率的な加熱、熱伝達がなされ被調理物２のできばえを向上するように作用する。
【００６１】
（実施の形態８）
図７は、本発明の第８の実施の形態における加熱調理器の要部断面図である。なお、本実施の形態８の基本構成は実施の形態１と同様であるので、その同様な部分の説明は省略し、相違点を中心に説明する。また実施の形態１と同じ機能には同じ符号を付してその説明を省略する。
【００６２】
図７において、本実施の形態の特徴は、実施の形態１のグリル皿３を凸部７０、凹部７１の波型形状で構成し、凸部７０、凹部７１の段差が６ｍｍ以上になるように凹部７１を樋状に連結して傾斜させ、グリル皿３の手前略中央に配設された油溜め溝７２を最下降部として配設する構成としている点である。
【００６３】
以上のように構成された加熱調理器について、以下その動作、作用を説明する。
グリル皿３の凸部７０に載置された被調理物２が加熱調理中に出す食物油が凹部７１に堆積することなく油溜め溝７２に集まるため、被調理物２の下面が油焼けにならずこんがりとヘルシーに調理するように作用する。
【００６４】
（実施の形態９）
図８は、本発明の第９の実施の形態における加熱調理器の要部断面図である。なお、本実施の形態９の基本構成は実施の形態１と同様であるので、その同様な部分の説明は省略し、相違点を中心に説明する。また実施の形態１と同じ機能には同じ符号を付してその説明を省略する。
【００６５】
図８において、本実施の形態の特徴は、実施の形態１のグリル皿３とグリル蓋５の代わりに受け皿８０と焼網８１を併用する構成としている点である。
【００６６】
以上のように構成された加熱調理器について、以下その動作、作用を説明する。
被調理物２の下面をグリル皿３で直接加熱する場合と焼網８１に載置した被調理物２を下面加熱手段６により間接加熱する場合とで使用者の味の好みに合わせた仕様が選択できるように作用する。
【産業上の利用可能性】
【００６７】
以上のように、本発明にかかる加熱調理器は、グリル庫内が汚れたり焼き付くことがなく、また激しい発煙を室内に放出することもない。さらに、被加熱物をグリル皿とグリル蓋で囲うことでドアに与える熱影響も少なく、ドアが高温になることもなく、安全でお手入れ性、使い勝手がよく快適に調理をおこなうことができるので、一般家庭で使用される全ての加熱調理器の用途に有効である。
【符号の説明】
【００６８】
１  グリル庫内
２  被調理物
３  グリル皿
４  外周縁（外周縁部）
５  グリル蓋
６  下面加熱手段
７  上面加熱手段
９  グリルドア
１０  アーム
２０  除煙手段
３０、４０  のぞき窓
５０  内板
５１  外板
５４  飾り板
６０  反射板
７０  凸部
７１  凹部
７２  油溜め溝
８０  受け皿
８１  焼網
【図１】
2011098139.tif 000003
【図２】
2011098139.tif 000004
【図３】
2011098139.tif 000005
【図４】
2011098139.tif 000006
【図５】
2011098139.tif 000007
【図６】
2011098139.tif 000008
【図７】
2011098139.tif 000009
【図８】
2011098139.tif 000010
【図９】
2011098139.tif 000011